(57)【要約】【課題】  部品点数を増加せずにアンローディング時の衝突音の発生を防止する。【解決手段】  アンローディング信号に基づいてレバーシフト５Ｂを下動ｄさせてトラバースシャーシ５Ａを傾斜姿勢にすることにより、ターンテーブル９からトレイ４上にディスクＤを受け渡し、該トレイ４を前進ａさせるようにしたディスク装置において、筐体１のボトムシャーシ１ａに板金加工を施すことにより上向きに膨出する複数の台形状載置台２が形成され、該各載置台２上にローダシャーシ３が止着されると共に、そのいずれか一つの載置台２に対向して棒状の弾性緩衝材２０がレバーシフト５Ｂに一体突設されており、該レバーシフト５Ｂを下限位置まで下動ｄさせたときに、弾性緩衝材２０を載置台２の上面または傾斜状側面に接触させて弾性変位させるようにした。【選択図】        図１
2008097762.tif 000002
【特許請求の範囲】
【請求項１】
筐体のボトムシャーシ上にローダーシャーシが止着され、該ローダーシャーシにディス
ク載置用トレイが前後進可能に支持され、光ピックアップ及びターンテーブルを搭載した
トラバースシャーシと合成樹脂製レバーシフトとからなるトラバース部材を有し、前記ト
ラバースシャーシの後部が後側弾性体を介して前記ローダーシャーシに上下動可能に連結
されると共に、該トラバースシャーシの前部が前側弾性体を介して前記レバーシフトに連
結され、該レバーシフトにカム機構を介して連結したカムスライダが前記ローダーシャー
シにスライド可能に配置されており、ローディング信号に基づいてカムスライダを一方向
にスライドさせ、カム機構を介してレバーシフトを上動させてトラバースシャーシを水平
姿勢にすることにより、トレイ上のディスクをターンテーブルで持ち上げ、該ターンテー
ブルによりディスクを高速回転させ、該ディスクに記録されている情報を光ピックアップ
により読み取り、アンローディング信号に基づいてカムスライダを他方向にスライドさせ
、カム機構を介してレバーシフトを下動させてトラバースシャーシを傾斜姿勢にすること
により、ターンテーブルからトレイ上にディスクを受け渡し、該トレイを前進させるよう
にしたディスク装置において、前記ボトムシャーシに板金加工を施すことにより上向きに
膨出する複数の台形状載置台が形成され、該各載置台上に前記ローダシャーシが止着され
ると共に、そのいずれか一つの載置台に対向して棒状の弾性緩衝材が前記レバーシフトに
一体突設されており、該レバーシフトを下限位置まで下動させたときに、前記弾性緩衝材
を載置台の上面または傾斜状側面に接触させて弾性変位させるようにしたことを特徴とす
るディスク装置。
【請求項２】
筐体のボトムシャーシ上にローダーシャーシが止着され、該ローダーシャーシにディス
ク載置用トレイが前後進可能に支持され、光ピックアップ及びターンテーブルを搭載した
トラバース部材の後部が前記ローダーシャーシに上下動可能に連結され、該トラバース部
材の前部にカム機構を介して連結したカムスライダが前記ローダーシャーシにスライド可
能に配置されており、ローディング信号に基づいてカムスライダを一方向にスライドさせ
、カム機構を介してトラバース部材を上動させて水平姿勢にすることにより、トレイ上の
ディスクをターンテーブルで持ち上げ、該ターンテーブルによりディスクを高速回転させ
、該ディスクに記録されている情報を光ピックアップにより読み取り、アンローディング
信号に基づいてカムスライダを他方向にスライドさせ、カム機構を介してトラバース部材
を下動させて傾斜姿勢にすることにより、ターンテーブルからトレイ上にディスクを受け
渡し、該トレイを前進させるようにしたディスク装置において、前記トラバース部材の前
部が合成樹脂により成形され、その前部に弾性緩衝部材が一体突設されており、トラバー
ス部材を下限位置まで下動させたときに、前記弾性緩衝材をボトムシャーシに接触させる
ようにしたことを特徴とするディスク装置。
【請求項３】
前記ボトムシャーシに板金加工を施すことにより上向きに膨出する複数の台形状載置台
が形成され、該各載置台上に前記ローダシャーシが止着されると共に、そのいずれか一つ
の載置台に対向して前記弾性緩衝材が配置されており、トラバース部材を下限位置まで下
動させたときに、その弾性緩衝材を載置台の上面または傾斜状側面に接触させて弾性変位
させるようにしたことを特徴とする請求項２に記載のディスク装置。
【請求項４】
前記トラバース部材が、光ピックアップ及びターンテーブルを搭載したトラバースシャ
ーシと合成樹脂製レバーシフトとを有し、前記トラバースシャーシの後部が後側弾性体を
介して前記ローダーシャーシに上下動可能に連結されると共に、該トラバースシャーシの
前部が前側弾性体を介して前記レバーシフトに連結され、該レバーシフトにカム機構を介
して連結したカムスライダが前記ローダーシャーシにスライド可能に配置され、前記レバ
ーシフトに棒状の前記弾性緩衝材が一体突設されており、そのレバーシフトを下限位置ま
で下動させたときに、前記弾性緩衝材を載置台の上面または傾斜状側面に接触させて弾性
変位させるようにしたことを特徴とする請求項３に記載のディスク装置。
【発明の詳細な説明】
【技術分野】
【０００１】
本発明は、ディスク装置（例えばＤＶＤレコーダやＤＶＤプレーヤなど）に関し、特に
、部品点数を増加せずにアンローディング時の衝突音の発生を確実に防止するようにした
ものである。
【背景技術】
【０００２】
従来、ディスク装置の一例として図５〜図７に示すものがあり、図５はディスク装置の
縦断面図、図６は要部の分解斜視図、図７（ａ）は従来の改良例を示す要部の拡大縦断面
図、図７（ｂ）はＣ−Ｃ矢視図である。
【０００３】
図５及び図６に示すように、ボトムシャーシ１ａ、フロントパネル１ｂ、トップシャー
シ１ｃ及びリアカバー１ｄを備えた筐体１が設けられ、前記ボトムシャーシ１ａに板金加
工を施すことにより上向きに膨出する複数（この例では４つ）の台形状載置台２が形成さ
れ、該各載置台２上にローダーシャーシ３が止着され、該ローダーシャーシ３にディスク
Ｄ載置用トレイ４が前後進ａ，ｂ可能に支持され、トラバースシャーシ５Ａ及び合成樹脂
製レバーシフト５Ｂとからなるトラバース部材５を有し、前記トラバースシャーシ５Ａに
固定したガイドロッド６に光ピックアップ７が移動可能に係合されると共に、該トラバー
スシャーシ５Ａの前部にスピンドルモータ８が配置され、該スピンドルモータ８の駆動軸
にターンテーブル９が固定され、該ターンテーブル９に対向してローダーシャーシ３の両
側壁間に横桁１０が架設され、該横桁１０の中央に形成した収納部１０ａ内にクランパ１
１が一定範囲内昇降可能に配置されている。
【０００４】
前記トラバースシャーシ５Ａの後部がゴムからなる後側弾性体１３Ａを介してローダー
シャーシ３に上下動ｃ，ｄ可能に連結されると共に、該トラバースシャーシ５Ａの前部が
ゴムからなる前側弾性体１３Ｂを介してレバーシフト５Ｂに連結され、該レバーシフト５
Ｂに対向してローダーシャーシ３にカムスライダ１４が左右方向ｅ，ｆに移動可能に配置
され、該カムスライダ１４に形成したカム溝１５Ａと、該カム溝１５Ａに嵌入され前記レ
バーシフト５Ｂの前面に突設されたカムピン１５Ｂとからなるカム機構１５により、カム
スライダ１４がレバーシフト５Ｂに連結されている。なお、図６中、１６はカムスライダ
１４に一体突設したラックであって、駆動ピニオン（図示せず）が噛合されている。
【０００５】
動作原理を説明すると、図５の実線はプレイモードを示しており、ローディング信号に
基づいてラック１６に噛合する駆動ピニオンを正転させることによりカムスライダ１４を
一方向ｅにスライドさせ、カム機構１５を介してレバーシフト５Ｂを上動ｃさせてトラバ
ースシャーシ５Ａを水平姿勢にすることにより、トレイ４上のディスクＤをターンテーブ
ル９で持ち上げ、該ターンテーブル９とクランパ１１とでディスクＤをクランプし、スピ
ンドルモータ８を駆動してターンテーブル９によりディスクＤを高速回転させ、該ディス
クＤに記録されている情報を光ピックアップ７により読み取り、映像情報の再生や録画を
行う。
【０００６】
プレイモードで、アンローディング信号が入力されると、スピンドルモータ８の駆動を
停止し、ラック１６に噛合する駆動ピニオンを逆転させることによりカムスライダ１４を
他方向ｆにスライドさせ、カム機構１５を介してレバーシフト５Ｂを下動ｄさせてトラバ
ースシャーシ５Ａを傾斜姿勢にすることにより（図５仮想線参照）、ターンテーブル９か
らトレイ４上にディスクＤを受け渡し、該トレイ４を前進ａさせ、そのトレイ４上からデ
ィスクＤを取り外したり新たなディスクＤを載置し、エジェクト信号に基づいてトレイ４
を後退ｂさせる。なお、関連する技術として特許文献１に記載したものがある。
【特許文献１】特開２００３−２８１８７６号公報
【発明の開示】
【発明が解決しようとする課題】
【０００７】
上記従来の構成では、ユーザの要望に応じて筐体１の高さが可能な限り小さく設定され
ているため、図５に仮想線で示すように、レバーシフト５Ｂを下限位置まで下動ｄさせた
ときに、該レバーシフト５Ｂがボトムシャーシ１ａに極めて接近しており、経年変化や寸
法誤差などにより、そのレバーシフト５Ｂが下がり過ぎてボトムシャーシ１ａに衝突する
ことがあり、その衝突により、不快な衝突音が発生する。
【０００８】
そこで、図７（ａ）（ｂ）に示すように、レバーシフト５Ｂに対向してボトムシャーシ
１ａ上に不織布などからなる緩衝シート１７を貼着し、その緩衝シート１７に下がり過ぎ
たレバーシフト５Ｂの下面５ａを衝突させることにより、吸音することが考えられている
が、これでは、緩衝シート１７を用いている分だけ部品点数が増加して、コストアップに
なる。
【０００９】
本発明は、上記従来の欠点に鑑み、部品点数を増加せずにアンローディング時の衝突音
の発生を確実に防止するようにしたディスク装置を提供することを目的としている。
【課題を解決するための手段】
【００１０】
上記目的を達成するため、請求項１に記載の発明は、筐体のボトムシャーシ上にローダ
ーシャーシが止着され、該ローダーシャーシにディスク載置用トレイが前後進可能に支持
され、光ピックアップ及びターンテーブルを搭載したトラバースシャーシと合成樹脂製レ
バーシフトとからなるトラバース部材を有し、前記トラバースシャーシの後部が後側弾性
体を介して前記ローダーシャーシに上下動可能に連結されると共に、該トラバースシャー
シの前部が前側弾性体を介して前記レバーシフトに連結され、該レバーシフトにカム機構
を介して連結したカムスライダが前記ローダーシャーシにスライド可能に配置されており
、ローディング信号に基づいてカムスライダを一方向にスライドさせ、カム機構を介して
レバーシフトを上動させてトラバースシャーシを水平姿勢にすることにより、トレイ上の
ディスクをターンテーブルで持ち上げ、該ターンテーブルによりディスクを高速回転させ
、該ディスクに記録されている情報を光ピックアップにより読み取り、アンローディング
信号に基づいてカムスライダを他方向にスライドさせ、カム機構を介してレバーシフトを
下動させてトラバースシャーシを傾斜姿勢にすることにより、ターンテーブルからトレイ
上にディスクを受け渡し、該トレイを前進させるようにしたディスク装置において、前記
ボトムシャーシに板金加工を施すことにより上向きに膨出する複数の台形状載置台が形成
され、該各載置台上に前記ローダシャーシが止着されると共に、そのいずれか一つの載置
台に対向して棒状の弾性緩衝材が前記レバーシフトに一体突設されており、該レバーシフ
トを下限位置まで下動させたときに、前記弾性緩衝材を載置台の上面または傾斜状側面に
接触させて弾性変位させるようにしたことを特徴としている。
【００１１】
請求項２に記載の発明は、筐体のボトムシャーシ上にローダーシャーシが止着され、該
ローダーシャーシにディスク載置用トレイが前後進可能に支持され、光ピックアップ及び
ターンテーブルを搭載したトラバース部材の後部が前記ローダーシャーシに上下動可能に
連結され、該トラバース部材の前部にカム機構を介して連結したカムスライダが前記ロー
ダーシャーシにスライド可能に配置されており、ローディング信号に基づいてカムスライ
ダを一方向にスライドさせ、カム機構を介してトラバース部材を上動させて水平姿勢にす
ることにより、トレイ上のディスクをターンテーブルで持ち上げ、該ターンテーブルによ
りディスクを高速回転させ、該ディスクに記録されている情報を光ピックアップにより読
み取り、アンローディング信号に基づいてカムスライダを他方向にスライドさせ、カム機
構を介してトラバース部材を下動させて傾斜姿勢にすることにより、ターンテーブルから
トレイ上にディスクを受け渡し、該トレイを前進させるようにしたディスク装置において
、前記トラバース部材の前部が合成樹脂により成形され、その前部に弾性緩衝部材が一体
突設されており、トラバース部材を下限位置まで下動させたときに、前記弾性緩衝材をボ
トムシャーシに接触させるようにしたことを特徴としている。
【００１２】
請求項３に記載の発明は、請求項２に記載の発明において、前記ボトムシャーシに板金
加工を施すことにより上向きに膨出する複数の台形状載置台が形成され、該各載置台上に
前記ローダシャーシが止着されると共に、そのいずれか一つの載置台に対向して前記弾性
緩衝材が配置されており、トラバース部材を下限位置まで下動させたときに、その弾性緩
衝材を載置台の上面または傾斜状側面に接触させて弾性変位させるようにしたことを特徴
としている。
【００１３】
請求項４に記載の発明は、請求項３に記載の発明において、前記トラバース部材が、光
ピックアップ及びターンテーブルを搭載したトラバースシャーシと合成樹脂製レバーシフ
トとを有し、前記トラバースシャーシの後部が後側弾性体を介して前記ローダーシャーシ
に上下動可能に連結されると共に、該トラバースシャーシの前部が前側弾性体を介して前
記レバーシフトに連結され、該レバーシフトにカム機構を介して連結したカムスライダが
前記ローダーシャーシにスライド可能に配置され、前記レバーシフトに棒状の前記弾性緩
衝材が一体突設されており、そのレバーシフトを下限位置まで下動させたときに、前記弾
性緩衝材を載置台の上面または傾斜状側面に接触させて弾性変位させるようにしたことを
特徴としている。
【発明の効果】
【００１４】
請求項１に記載の発明によれば、アンローディング信号に基づいてレバーシフトを下限
位置まで下動させたときに、該レバーシフトに一体突設した棒状の弾性緩衝材を載置台の
上面や傾斜状側面またはその上面と傾斜状側面との間の略円弧状角部に接触させることに
より、該弾性緩衝材を撓ませたり捩じったりして、レバーシフトの下動に急ブレーキをか
けことができ、これにより、経年変化や寸法誤差などによりレバーシフトが下がり過ぎる
場合でも、そのレバーシフト５Ｂがボトムシャーシに衝突されるのを阻止して、不快な衝
突音の発生を確実に防止することができる。
【００１５】
また、前記弾性緩衝材がレバーシフトに一体突設されているので、部品点数が増加せず
、従来の緩衝シートを用いる場合に比べて大幅にコストダウンを図ることができる。
【００１６】
更に、ボトムシャーシに板金加工を施すことにより上向きに膨出する複数の台形状載置
台が形成され、該各載置台上にローダシャーシが止着され、その各載置台のうちの一つに
弾性緩衝材を接触させて不快な衝突音の発生を防止するようになっており、その一つの載
置台が兼用されている分だけ構造が簡単になり、筐体内の狭い空間の有効利用に適してい
る。
【００１７】
請求項２に記載の発明によれば、アンローディング信号に基づいてトラバース部材を下
限位置まで下動させたときに、弾性緩衝材をボトムシャーシに接触させるから、経年変化
や寸法誤差などによりトラバース部材の前部が下がり過ぎる場合でも、そのトラバース部
材の前部がボトムシャーシに衝突されるのを阻止して、不快な衝突音の発生を確実に防止
することができる。また、前記弾性緩衝材がトラバース部材の前部に一体突設されている
ので、部品点数が増加せず、従来の緩衝シートを用いる場合に比べて大幅にコストダウン
を図ることができる。
【００１８】
請求項３に記載の発明によれば、ボトムシャーシに板金加工を施すことにより上向きに
膨出する複数の台形状載置台が形成され、該各載置台上にローダシャーシが止着され、そ
の各載置台のうちの一つに弾性緩衝材を接触させて不快な衝突音の発生を防止するように
なっており、その一つの載置台が兼用されている分だけ構造が簡単になり、筐体内の狭い
空間の有効利用に適している。
【００１９】
請求項４に記載の発明によれば、レバーシフトを下限位置まで下動させたときに、該レ
バーシフトに一体突設した棒状の弾性緩衝材を載置台の上面や傾斜状側面またはその上面
と傾斜状側面との間の略円弧状角部に接触させることにより、該弾性緩衝材を撓ませたり
捩じったりして、レバーシフトの下動に急ブレーキをかけて不快な衝突音の発生を一層確
実に防止することができる。
【発明を実施するための最良の形態】
【００２０】
図１〜図４は本発明の実施の一形態を示すものであって、図１はディスク装置の縦断面
図、図２は要部の分解斜視図、図３（ａ）は同要部の拡大縦断面図、図３（ｂ）はＡ−Ａ
斜視図、図４（ａ）は同変形例を示す同要部の拡大縦断面図、図４（ｂ）はＢ−Ｂ斜視図
である。
【００２１】
図１〜図３に示すように、レバーシフト（トラバース部材の前部）５Ｂの両端部にガイ
ド枠１９が一体突設され、該各ガイド枠１９をローダーシャーシ３に設けた上下方向に延
びるガイド片（図示せず）に係合させることにより、レバーシフト５Ｂが上下動ｃ，ｄ可
能に形成され、一方のガイド枠１９の前面に弾性緩衝材２０が一体突設されており、その
弾性緩衝材２０は棒状に形成されて前側一方の載置台２の上面２ａに対向されている。な
お、図２中、２１はローダーシャーシ３に一体突設した複数（この実施の形態では４つ）
の位置決めピンであって、各載置台２の位置決め孔２２に嵌入させる。また、２３はロー
ダーシャーシ３を貫通して各載置台２のねじ孔２４に螺入させることよりそのローダーシ
ャーシ３をボトムシャーシ１ａに止着するビスである。上記以外の構成は図５〜図７に示
す構成とほぼ同じであるから、同一部分に同一符号を付してその説明を省略する。
【００２２】
動作原理を説明すると、図１の実線で示すプレイモードで、アンローディング信号が入
力されると、従来と同じ手順でレバーシフト５Ｂを下動ｄさせてトラバースシャーシ５Ａ
を傾斜姿勢にすると（図１仮想線参照）、図３（ａ）（ｂ）に示すように弾性緩衝材２０
が載置台２の上面２ａに接触され、その弾性緩衝材２０を載置台２の上面２ａと傾斜状側
面２ｂとの間の略円弧状角部２ｃに押し付けて撓ませることにより、レバーシフト５Ｂに
急ブレーキをかけ、そのレバーシフトの下面５ａがボトムシャーシ１ａに接触されないよ
うにしている。
【００２３】
上記の構成では、弾性緩衝材２０を載置台２の上面２ａに対向させたが、これに限定さ
れるわけではなく、図４（ａ）（ｂ）に示すように、弾性緩衝材２０を載置台２の略円弧
状角部２ｃまたは傾斜状側面２ｂに対向させてもよく、これによって、その弾性緩衝材２
０を載置台２のを略円弧状角部２ｃまたは傾斜状側面２ｂに押しつけて撓ませたり捩じる
ことにより、レバーシフト５Ｂに急ブレーキをかけることができる。
【００２４】
上記構成によれば、アンローディング信号に基づいてレバーシフト５Ｂを下限位置まで
下動ｄさせたときに（図１仮想線参照）、該レバーシフト５Ｂに一体突設した棒状の弾性
緩衝材２０を載置台２の上面２ａや傾斜状側面２ｂまたはその上面２ａと傾斜状側面２ｂ
との間の略円弧状角部２ｃに接触させることにより、該弾性緩衝材２０を撓ませたり捩じ
ったりして、レバーシフト５Ｂの下動ｄに急ブレーキをかけことができ、これにより、経
年変化や寸法誤差などによりレバーシフト５Ｂが下がり過ぎる場合でも、そのレバーシフ
ト５Ｂがボトムシャーシ１ａに衝突されるのを阻止して、不快な衝突音の発生を確実に防
止することができる。
【００２５】
また、前記弾性緩衝材２０がレバーシフト５Ｂに一体突設されているので、部品点数が
増加せず、従来の緩衝シート１７（図７参照）を用いる場合に比べて大幅にコストダウン
を図ることができる。
【００２６】
更に、ボトムシャーシ１ａに板金加工を施すことにより上向きに膨出する複数の台形状
載置台２が形成され、該各載置台２上にローダーシャーシ３が止着され、その各載置台２
のうちの一つに弾性緩衝材２０を接触させて不快な衝突音の発生を防止するようになって
おり、その一つの載置台２が兼用されている分だけ構造が簡単になり、筐体１内の狭い空
間の有効利用に適している。
【００２７】
上記実施の形態では、トラバースシャーシ５Ａとレバーシフト５Ｂとに分割した分割型
のトラバース部材５を例にあげて説明したが、これに限定されるわけではなく、後部を後
側弾性体１３Ａを介してローダーシャーシ３に上下動ｃ，ｄ可能に連結し前部をカム機構
１５を介してカムスライダ１４に連結した一体型のトラバース部材５を用いる場合にも適
用される。
【図面の簡単な説明】
【００２８】
【図１】本発明の実施の一形態であるディスク装置を示す縦断面図である。
【図２】同要部の分解斜視図である。
【図３】（ａ）は同要部の拡大縦断面図、（ｂ）はＡ−Ａ斜視図である。
【図４】（ａ）は同変形例を示す要部の拡大縦断面図、（ｂ）はＢ−Ｂ斜視図である。
【図５】従来例を示す縦断面図である。
【図６】同要部の分解斜視図である。
【図７】（ａ）は従来の改良例を示す要部の拡大縦断面図、（ｂ）はＣ−Ｃ矢視図である。
【符号の説明】
【００２９】
１            筐体
１ａ          筐体のボトムシャーシ
２            載置台
３            ローダーシャーシ
４            トレイ
５            トラバース部材
５Ａ          トラバースシャーシ
５Ｂ          レバーシャフト（トラバース部材の前部）
７            光ピックアップ
９            ターンテーブル
１３Ａ        後側弾性体
１３Ｂ        前側弾性体
１４          カムスライダ
１５          カム機構
２０          弾性緩衝材
Ｄ            ディスク
【図１】
2008097762.tif 000003
【図２】
2008097762.tif 000004
【図３】
2008097762.tif 000005
【図４】
2008097762.tif 000006
【図５】
2008097762.tif 000007
【図６】
2008097762.tif 000008
【図７】
2008097762.tif 000009